(57)【要約】【課題】２つの窓部が取り付けられる取付材を２つの窓部の縦枠の間で室内側に配置して、取付材と耐火部材を備えた窓部連結構造の意匠性を向上する。【解決手段】一対の縦枠６は、２つの窓部１にそれぞれ設けられて互いに隣接する。取付材２０は、一対の縦枠６の間で上下方向に延び、２つの窓部１は、取付材２０に取り付けられる。耐火部材６０は、取付材２０の室内側に設けられる。一対の縦枠６は、互いに対向する室外側部６Ａと、互いの間に室外側部６Ａ同士の間隔よりも左右方向に広い収容空間８２を形成する室内側部６Ｂを有する。取付材２０は、室外側部６Ａよりも室内側に配置されて、収容空間８２に配置される。【選択図】  図２
2020176440.tif 000002
【特許請求の範囲】
【請求項１】
建物の開口部で左右方向に並ぶ２つの窓部を連結する窓部連結構造であって、
前記２つの窓部にそれぞれ設けられて互いに隣接する一対の縦枠と、
前記一対の縦枠の間で上下方向に延び、前記２つの窓部が取り付けられる取付材と、
前記取付材の室内側に設けられた耐火部材と、を備え、
前記一対の縦枠は、互いに対向する室外側部と、互いの間に前記室外側部同士の間隔よりも左右方向に広い空間を形成する室内側部と、を有し、
前記取付材は、前記室外側部よりも室内側に配置されて、前記空間に配置される窓部連結構造。
【請求項２】
請求項１に記載された窓部連結構造において、
前記縦枠の室内側部に固定されるとともに、前記空間内で前記取付材に固定されて、前記窓部を前記取付材に取り付ける固定部材を備えた窓部連結構造。
【請求項３】
請求項１又は２に記載された窓部連結構造において、
前記取付材に取り付けられて、前記一対の縦枠に形成された係合部と係合する位置決め部材を備えた窓部連結構造。
【請求項４】
請求項３に記載された窓部連結構造において、
前記位置決め部材は、前記空間に収容されて、前記空間内で前記一対の縦枠の係合部と係合する窓部連結構造。
【請求項５】
請求項３又は４に記載された窓部連結構造において、
前記位置決め部材は、前記取付材に係合して装着される装着部を有する窓部連結構造。
【発明の詳細な説明】
【技術分野】
【０００１】
本発明は、建物の開口部で左右方向に並ぶ２つの窓部を連結する窓部連結構造に関する。
【背景技術】
【０００２】
左右方向の連窓（横連窓）では、複数の窓部が建物の開口部に左右方向に並べて設置されて、窓部連結構造により、互いに隣接する２つの窓部が連結されている。また、窓部が防火設備であるときには、取付材と耐火部材を備えた窓部連結構造により、２つの窓部同士が連結されている。このような窓部連結構造として、従来、２つの窓部と耐火部材を２つの窓部の間の取付材（方立）に取り付ける窓部連結構造が知られている（特許文献１参照）。
【０００３】
特許文献１に記載された従来の窓部連結構造では、耐火部材を取付材の室内側に設けて、耐火部材により、窓部連結構造の防火性能を向上させている。ところが、従来の窓部連結構造の取付材は、２つの窓部の間で縦枠よりも室外側まで配置されて、窓部の室外側に露出する。また、取付材の配置に伴い、２つの窓部の縦枠の間隔が広くなり、２つの縦枠を含む窓部連結構造の左右方向の寸法が大きくなることがある。防火設備である窓部と防火設備ではない窓部が延焼ラインをまたいで並ぶときには、それぞれの窓部連結構造の左右方向の寸法及び外観に差が生じ、延焼ラインをまたいでデザインが変化する。従って、従来の窓部連結構造に関しては、意匠性の観点から改善の余地がある。
【先行技術文献】
【特許文献】
【０００４】
【特許文献１】特許第５７５７０１１号公報
【発明の概要】
【発明が解決しようとする課題】
【０００５】
本発明は、前記従来の問題に鑑みなされたもので、その目的は、左右方向に並ぶ２つの窓部が取り付けられる取付材を２つの窓部の縦枠の間で室内側に配置して、取付材と耐火部材を備えた窓部連結構造の意匠性を向上することである。
【課題を解決するための手段】
【０００６】
本発明は、建物の開口部で左右方向に並ぶ２つの窓部を連結する窓部連結構造であって、前記２つの窓部にそれぞれ設けられて互いに隣接する一対の縦枠と、前記一対の縦枠の間で上下方向に延び、前記２つの窓部が取り付けられる取付材と、前記取付材の室内側に設けられた耐火部材と、を備え、前記一対の縦枠は、互いに対向する室外側部と、互いの間に前記室外側部同士の間隔よりも左右方向に広い空間を形成する室内側部と、を有し、前記取付材は、前記室外側部よりも室内側に配置されて、前記空間に配置される窓部連結構造である。
【発明の効果】
【０００７】
本発明によれば、左右方向に並ぶ２つの窓部が取り付けられる取付材を２つの窓部の縦枠の間で室内側に配置でき、取付材と耐火部材を備えた窓部連結構造の意匠性を向上することができる。
【図面の簡単な説明】
【０００８】
【図１】本実施形態の窓部を設置した建物の壁部を室外側からみて示す正面図である。
【図２】本実施形態の窓部と窓部連結構造の横断面図である。
【図３】本実施形態の窓部と窓部連結構造の縦断面図である。
【図４】本実施形態の窓部と窓部連結構造の他の例を示す横断面図である。
【図５】本実施形態の窓部と窓部連結構造の他の例を示す縦断面図である。
【発明を実施するための形態】
【０００９】
本発明の窓部連結構造の一実施形態について、図面を参照して説明する。
本実施形態の窓部連結構造は、２つ以上の窓部が左右方向に並ぶ連窓（横連窓）に設けられて、建物の開口部で左右方向に並ぶ２つの窓部を連結する。窓部は、建物の壁部に用いられて、建物の室内（屋内）と室外（屋外）の間に設置される。
【００１０】
図１は、本実施形態の窓部１を設置した建物１０の壁部１１を室外側からみて示す正面図である。なお、窓部１を正面からみたときに、上下となる方向が上下方向であり、左右となる方向が左右方向である。図１では、上下方向は垂直方向であり、左右方向は水平方向である。
図示のように、建物１０は、壁部１１に形成された左右方向に延びる開口部１２を備えている。建物１０の開口部１２には、複数の窓部１が左右方向に並べて設置されている。窓部１は、建物１０の壁部１１に設けられた防火設備（防火窓）であり、建物１０の開口部１２で左右方向に互いに隣接している。
【００１１】
窓部１は、パネル体２と、パネル体２を囲む枠体３を備えている。パネル体２は、方形状のパネル状部材であり、枠体３の方形状の開口部３Ａに配置されている。ここでは、パネル体２は、複数のガラス板を有する複層ガラスであり、枠体３に取り付けられている。枠体３は、開口部３Ａを形成する開口枠であり、方形状に枠組みされた４つの枠４〜６（上枠４、下枠５、一対の縦枠６）を有している。
【００１２】
上枠４と下枠５は、それぞれ枠体３の上部と下部で左右方向（横方向）に延びる横枠であり、一対の縦枠６は、枠体３の両側の側部で上下方向（縦方向）に延びる。枠４〜６は、例えば、押出成形により形成された金属（例えば、アルミニウム合金）製の形材であり、互いに接続されて、枠体３の内側に開口部３Ａを形成している。２つの窓部１の隣接する箇所に窓部連結構造７が設けられて、２つの窓部１が窓部連結構造７により連結されている。
【００１３】
図２は、本実施形態の窓部１と窓部連結構造７の横断面図であり、左右方向に並ぶ２つの窓部１の縦枠６側の部分を示している。図３は、本実施形態の窓部１と窓部連結構造７の縦断面図である。
図示のように、窓部１に関して室内側、室外側とは、建物１０に設置したときの窓部１の室内側、室外側である。また、室内外方向は、建物１０に設置した窓部１を正面からみたときの窓部１の奥行方向（屋内外方向）である。
【００１４】
窓部連結構造７により、左右方向に隣接する２つの窓部１同士が連結されて、連結された窓部１が保持されている。窓部連結構造７は、２つの窓部１の側部である一対の縦枠６と、２つの窓部１が取り付けられた取付材２０と、一対の縦枠６を位置決めする位置決め部材３０と、複数のアンカー４０と、取付材２０の室内側に配置された接続部材５０と、取付材２０の室内側に設けられた耐火部材６０と、カバー７０を備えている。一対の縦枠６は、左右方向に並ぶ２つの窓部１の枠体３にそれぞれ設けられており、左右方向において互いに対向した状態で隣接している。
【００１５】
縦枠６は、室内外方向における室外側の部分である室外側部６Ａと、室内外方向における室内側の部分である室内側部６Ｂを有している。縦枠６の室外側部６Ａは、パネル体２を保持する保持部であり、縦枠６の見込み方向（室内外方向）に延びる見込み部（室外側見込み部６Ｃ）と、室外側見込み部６Ｃに取り付けられた押縁６Ｄと、縦枠６の見付け方向（左右方向）に延びる壁部６Ｅを有している。押縁６Ｄは、室外側見込み部６Ｃの室外側の端部から枠体３の開口部３Ａ側に向かって突出し、壁部６Ｅは、室外側見込み部６Ｃの室内側の端部から枠体３の開口部３Ａ側に向かって突出している。パネル体２の側部は、押縁６Ｄと壁部６Ｅの間に配置されて、縦枠６の室外側部６Ａに保持されている。
【００１６】
一対の縦枠６の室外側部６Ａ（ここでは、室外側見込み部６Ｃ）は、左右方向に間隔を開けて配置されており、互いの間に隙間（室外側隙間８０）を形成して、左右方向において互いに対向している。室外側隙間８０は、一対の縦枠６の間で室外側に形成されており、シール材８１により塞がれている。シール材８１は、縦枠６の長手方向（上下方向）の全体にわたって室外側隙間８０に配置されて、一対の縦枠６の室外側部６Ａの間をシールしている。縦枠６の室外側部６Ａ及び室外側隙間８０は、縦枠６の室内側部６Ｂよりも室外側に位置している。壁部６Ｅは、室外側部６Ａの室内側の端部に位置するとともに、縦枠６の室内外方向の中間に位置しており、縦枠６の室内側部６Ｂと接続している。
【００１７】
縦枠６の室内側部６Ｂは、取付材２０に取り付けられる取付部であり、縦枠６の見込み方向（室内外方向）に延びる見込み部（室内側見込み部６Ｆ）と、室内外方向において互いに対向する一対の固定片６Ｇと、縦枠６の見付け方向（左右方向）に突出する取付片６Ｈを有している。一対の固定片６Ｇは、アンカー４０の固定用の板状の突部であり、室内側見込み部６Ｆの室外側に形成されて、室内外方向に沿って互いに接近する方向に突出している。取付片６Ｈは、接続部材５０の取り付け用の板状の突部であり、室内側見込み部６Ｆの室内側の端部から枠体３の開口部３Ａ側に向かって突出している。
【００１８】
一対の縦枠６の室内側部６Ｂは、左右方向に間隔を開けて配置されており、互いの間に空間（収容空間８２）を形成して、取付材２０及び位置決め部材３０を挟んで左右方向において互いに対向している。一対の縦枠６の室内側部６Ｂの間隔は、一対の縦枠６の室外側部６Ａの間隔よりも左右方向に広い。収容空間８２は、一対の縦枠６の間で室内側に形成されており、室外側部６Ａ同士の間隔及び室外側隙間８０よりも左右方向に広い。縦枠６の室内側部６Ｂ及び収容空間８２は、縦枠６の室外側部６Ａ及び室外側隙間８０よりも室内側に位置している。室外側隙間８０は、収容空間８２の室外側に形成されており、室内側部６Ｂ同士の間隔及び収容空間８２よりも左右方向に狭い。
【００１９】
取付材２０は、鋼製の方立（取付鋼材）であり、一対の縦枠６の間で縦枠６に沿って上下方向に延びる。取付材２０の上端部と下端部は、金属（例えば、鋼）製の固定具２１（図３参照）により、建物１０の躯体である壁材１３に固定されている。窓部１は、取付材２０により、建物１０に連結されている。取付材２０は、中空形状に形成された管状部材であり、縦枠６の室外側部６Ａ及び室外側隙間８０よりも室内側の位置に配置されて、収容空間８２に配置されている。
【００２０】
ここでは、一対の縦枠６の間で、取付材２０の全体が収容空間８２に配置されて収容されており、取付材２０が収容空間８２内で一対の縦枠６の室内側部６Ｂの間に配置されている。取付材２０は、一対の縦枠６の室外側部６Ａの間の室外側隙間８０、及び、一対の縦枠６の室内側部６Ｂよりも室内側の位置には配置されず、収容空間８２のみに収容されている。収容空間８２、及び、収容空間８２に収容された部材（取付材２０、位置決め部材３０、アンカー４０）は、収容空間８２の室外側に位置する室外側隙間８０のシール材８１により、室外側において遮蔽されており、室外側への露出が防止されている。
【００２１】
位置決め部材３０は、縦枠６の室外側部６Ａ及び室外側隙間８０よりも室内側で、一対の縦枠６に固定されたアンカー４０の間、及び、取付材２０と一対の縦枠６の室外側部６Ａの間に配置されて、ネジ３１により、取付材２０に取り付けられている。また、位置決め部材３０は、室外側隙間８０の室内側の開口部に位置して、室外側隙間８０と取付材２０の間に配置されている。位置決め部材３０は、取付材２０に装着される装着部３２と、装着部３２の左右方向の両側に形成された２つの被係合部３３を有している。
【００２２】
位置決め部材３０は、取付材２０の室外側に配置されている。位置決め部材３０の装着部３２は、取付材２０側（室内側）に向かって開放された凹形状に形成されており、取付材２０（ここでは、取付材２０の室外側の部分）に係合して装着される。取付材２０の室外側の部分は、室内側から位置決め部材３０の装着部３２に収容されて、装着部３２に嵌合している。位置決め部材３０の装着部３２は、ネジ３１により、取付材２０の室外側の部分に取り付けられており、取付材２０に拘束されている。
【００２３】
位置決め部材３０の被係合部３３は、一対の縦枠６を位置決めする位置決め部であり、室外側に向かって開放された凹形状に形成されている。位置決め部材３０は、取付材２０に取り付けられて、被係合部３３により、一対の縦枠６に形成された係合部６Ｋと係合している。縦枠６の係合部６Ｋは、収容空間８２の内側に向かって突出する突部であり、縦枠６の室外側部６Ａの収容空間８２に面する壁部６Ｅから室内側に向かって突出して、収容空間８２内に位置している。一対の縦枠６の係合部６Ｋは、それぞれ室外側から被係合部３３に挿入されて、位置決め部材３０の被係合部３３に係合している。
【００２４】
位置決め部材３０は、収容空間８２に配置されて収容され、収容空間８２内で、一対の縦枠６の係合部６Ｋと係合している。その状態で、位置決め部材３０は、一対の縦枠６及び２つの窓部１を位置決めして、取付材２０への取付位置に一対の縦枠６を配置する。位置決め部材３０により、一対の縦枠６の左右方向の位置が位置決めされるとともに、一対の縦枠６の室内外方向の位置が位置決めされる。これにより、一対の縦枠６及び２つの窓部１が、取付材２０に対して位置決めされる。
【００２５】
アンカー４０は、鋼製の固定部材であり、縦枠６の上下方向の少なくとも一箇所（一箇所又は複数箇所）に設けられている。また、アンカー４０は、収容空間８２に配置されて収容され、収容空間８２内で窓部１を取付材２０に取り付けている。アンカー４０は、取付材２０の左右方向の両側に位置しており、一対の縦枠６のそれぞれと取付材２０に固定されて、２つの枠体３の縦枠６及び２つの窓部１を取付材２０に取り付けている。
【００２６】
アンカー４０は、縦枠６の室内側部６Ｂに固定されて、収容空間８２内で取付材２０に固定されている。固定部材であるアンカー４０により、縦枠６の室内側部６Ｂが取付材２０に固定されて、窓部１が取付材２０に取り付けられる。また、アンカー４０は、室内外方向の両端部に形成された一対の第１固定部４１と、取付材２０に向かって突出する第２固定部４２を有している。一対の第１固定部４１は、それぞれ室内側部６Ｂの固定片６Ｇを挟み込んで、室内側部６Ｂの固定片６Ｇに固定されている。第２固定部４２は、取付材２０の側面部に溶接されており、溶接により取付材２０に固定されている。
【００２７】
２つの窓部１は、アンカー４０及び接続部材５０により、１つの取付材２０に接続されて取り付けられている。接続部材５０の左右方向の両端部側で、ネジ５１が、接続部材５０を貫通して、室内側部６Ｂの取付片６Ｈに取り付けられている。接続部材５０の左右方向の中央部では、ネジ５２が、耐火部材６０及び接続部材５０を貫通して、取付材２０の室内側の部分に取り付けられている。接続部材５０は、ネジ５１により、一対の縦枠６の室内側部６Ｂに取り付けられ、ネジ５２により、取付材２０に取り付けられている。接続部材５０により、一対の縦枠６が取付材２０に接続されて、２つの枠体３の縦枠６及び２つの窓部１が取付材２０に取り付けられている。
【００２８】
耐火部材６０は、接続部材５０の室内側に配置されて、接続部材５０により、取付材２０に接続されて取り付けられている。接続部材５０と耐火部材６０の左右方向の寸法は、収容空間８２の左右方向の寸法よりも大きく、接続部材５０と耐火部材６０は、収容空間８２、取付材２０、及び、一対の縦枠６の室内側部６Ｂの室内側に配置されている。耐火部材６０は、一対の縦枠６のそれぞれの室内側で、縦枠６の室内側部６Ｂに重なるように配置されて、接続部材５０により、縦枠６の室内側部６Ｂに取り付けられている。
【００２９】
接続部材５０は、鋼製の溝状部材であり、室内側に向かって開放された凹部５３と、左右方向の両端部から室内側に突出する２つの突片５４を有している。耐火部材６０は、接続部材５０の凹部５３に配置されるとともに、接続部材５０の２つの突片５４の間に配置されて、接続部材５０に当接している。耐火部材６０は、ネジ５２により、接続部材５０及び取付材２０に取り付けられている。
【００３０】
耐火部材６０は、耐火物（例えば、繊維強化セメント板であるケイ酸カルシウム板）からなり、要求される防火性能（耐火性能）に対応した所定厚さに形成されている。また、耐火部材６０は、一対の縦枠６に沿って上下方向に延び、一対の縦枠６の上下方向の全体にわたって、収容空間８２の室内側に配置されている。耐火部材６０により、収容空間８２の室内側の開口部が塞がれている。耐火部材６０の上端部と下端部は、金属（例えば、鋼）製の固定具６１（図３参照）により、建物１０の躯体である壁材１３に固定されている。
【００３１】
カバー７０は、室外側に向かって開放された凹形状に形成されている。耐火部材６０、接続部材５０、及び、一対の縦枠６の室内側部６Ｂの室内側の部分は、カバー７０の内側に収容されて、カバー７０により室内側から覆われている。ネジ５５が、カバー７０を貫通して、接続部材５０の突片５４に取り付けられている。カバー７０は、ネジ５５により、接続部材５０に取り付けられている。
【００３２】
以上説明した窓部連結構造７では、取付材２０を縦枠６の室外側部６Ａ及び室外側隙間８０よりも室内側で収容空間８２に配置している。従って、取付材２０を２つの窓部１の縦枠６の間で室内側に配置でき、窓部連結構造７の意匠性を向上することができる。また、取付材２０等の室外側への露出を抑制して、室外側からみたときの窓部連結構造７の意匠性及び外観を向上することができる。一対の縦枠６の室外側部６Ａの間では、シール材８１を設ける隙間（室外側隙間８０）を確保しつつ、一対の縦枠６の室外側部６Ａの間隔を狭くすることができる。そのため、一対の縦枠６を含む窓部連結構造７の左右方向の寸法を小さくすることができる。
【００３３】
取付材２０が室外側に露出しないため、防火設備である窓部１と防火設備ではない窓部が延焼ラインをまたいで並ぶときにも、それぞれの窓部連結構造の左右方向の寸法及び外観に差が生じるのを抑制することができる。これにより、延焼ラインをまたいだデザインの変化を抑制して、左右方向に並ぶ窓部の意匠性を向上することができる。
【００３４】
アンカー４０は、収容空間８２内で、縦枠６の室内側部６Ｂと取付材２０に固定されている。従って、アンカー４０を縦枠６と取付材２０の間に容易に配置することができる。また、収容空間８２内で、アンカー４０により窓部１を取付材２０に取り付けることができ、窓部連結構造７の意匠性をより向上することができる。
【００３５】
一対の縦枠６の係合部６Ｋと係合する位置決め部材３０により、一対の縦枠６を容易に位置決めして、一対の縦枠６を正確に配置することができる。これにより、窓部１の施工効率を向上することができる。係合部６Ｋと係合する位置決め部材３０を収容空間８２に収容することで、位置決め部材３０を一対の縦枠６の間に容易に配置することができる。また、収容空間８２内で、一対の縦枠６の係合部６Ｋを位置決め部材３０に容易に係合することもできる。位置決め部材３０の装着部３２を取付材２０に装着することで、位置決め部材３０を取付材２０に容易かつ正確に取り付けることができる。
【００３６】
図４は、本実施形態の窓部１と窓部連結構造７の他の例を示す横断面図であり、左右方向に並ぶ２つの窓部１の縦枠６側の部分を示している。図５は、本実施形態の窓部１と窓部連結構造７の他の例を示す縦断面図である。
図示のように、ここでは、ネジ５２（図２、図３参照）を用いずに、金属（例えば、鋼）製の取付具６２により、耐火部材６０を接続部材５０に取り付けている。取付具６２は、耐火部材６０の長手方向（上下方向）の複数箇所で耐火部材６０に装着されて、ネジ５５により、接続部材５０に取り付けられている。ネジ５５は、カバー７０、接続部材５０の突片５４、及び、取付具６２を貫通している。このように、取付具６２により、耐火部材６０を接続部材５０を介して取付材２０に取り付けてもよい。
【００３７】
なお、一対の縦枠６の間で、取付材２０の全体を収容空間８２のみに配置してもよく、取付材２０の一部を収容空間８２に配置してもよい。例えば、取付材２０を一対の縦枠６の室内側部６Ｂの間の領域（収容空間８２の内側）から収容空間８２の室内側の位置まで配置してもよい。接続部材５０の一部又は全体を収容空間８２に配置してもよく、耐火部材６０の室外側の一部を収容空間８２に配置してもよい。アンカー４０の第２固定部４２を溶接以外の固定手段（例えば、ネジ）で取付材２０に固定してもよい。アンカー４０以外の固定部材（例えば、ネジ）により、縦枠６の室内側部６Ｂを取付材２０に固定して、窓部１を取付材２０に取り付けるようにしてもよい。また、各種の材質（金属、樹脂、その他の材質）製の部品の噛み合わせ、挟み込み、又は、圧入による嵌め込みにより、縦枠６の室内側部６Ｂを取付材２０に固定して、窓部１を取付材２０に取り付けるようにしてもよい。
【００３８】
窓部連結構造７により、防火設備である窓部１と防火設備ではない窓部を連結してもよい。窓部連結構造７により連結する窓部１は、例えば、固定窓、開閉窓、又は、カーテンウォールユニットである。パネル体２に設けるガラスの種類は限定されず、様々なガラスをパネル体２に設けることができる。建物の屋内で、窓部１を室内の間に設置してもよい。
【００３９】
以上のとおり、窓部連結構造は、建物の開口部で左右方向に並ぶ２つの窓部を連結する窓部連結構造であって、
前記２つの窓部にそれぞれ設けられて互いに隣接する一対の縦枠と、
前記一対の縦枠の間で上下方向に延び、前記２つの窓部が取り付けられる取付材と、
前記取付材の室内側に設けられた耐火部材と、を備え、
前記一対の縦枠は、互いに対向する室外側部と、互いの間に前記室外側部同士の間隔よりも左右方向に広い空間を形成する室内側部と、を有し、
前記取付材は、前記室外側部よりも室内側に配置されて、前記空間に配置される窓部連結構造である。
窓部連結構造によれば、左右方向に並ぶ２つの窓部が取り付けられる取付材を２つの窓部の縦枠の間で室内側に配置でき、取付材と耐火部材を備えた窓部連結構造の意匠性を向上することができる。
【００４０】
窓部連結構造は、前記縦枠の室内側部に固定されるとともに、前記空間内で前記取付材に固定されて、前記窓部を前記取付材に取り付ける固定部材を備えている。
従って、固定部材を縦枠と取付材の間に容易に配置でき、一対の縦枠の室内側部の間の空間内で、固定部材により窓部を取付材に取り付けることができる。
【００４１】
窓部連結構造は、前記取付材に取り付けられて、前記一対の縦枠に形成された係合部と係合する位置決め部材を備えている。
位置決め部材により、一対の縦枠を容易に位置決めして、一対の縦枠を正確に配置することができる。
【００４２】
前記位置決め部材は、前記空間に収容されて、前記空間内で前記一対の縦枠の係合部と係合する。
従って、一対の縦枠の室内側部の間の空間内で、一対の縦枠の係合部を位置決め部材に容易に係合できるとともに、位置決め部材を一対の縦枠の間に容易に配置することができる。
【００４３】
前記位置決め部材は、前記取付材に係合して装着される装着部を有する。
装着部を取付材に装着することで、位置決め部材を取付材に容易かつ正確に取り付けることができる。
【符号の説明】
【００４４】
１・・・窓部、２・・・パネル体、３・・・枠体、３Ａ・・・開口部、４・・・上枠、５・・・下枠、６・・・縦枠、６Ａ・・・室外側部、６Ｂ・・・室内側部、６Ｃ・・・室外側見込み部、６Ｄ・・・押縁、６Ｅ・・・壁部、６Ｆ・・・室内側見込み部、６Ｇ・・・固定片、６Ｈ・・・取付片、６Ｋ・・・係合部、７・・・窓部連結構造、１０・・・建物、１１・・・壁部、１２・・・開口部、１３・・・壁材、２０・・・取付材、２１・・・固定具、３０・・・位置決め部材、３１・・・ネジ、３２・・・装着部、３３・・・被係合部、４０・・・アンカー、４１・・・第１固定部、４２・・・第２固定部、５０・・・接続部材、５１・・・ネジ、５２・・・ネジ、５３・・・凹部、５４・・・突片、５５・・・ネジ、６０・・・耐火部材、６１・・・固定具、６２・・・取付具、７０・・・カバー、８０・・・室外側隙間、８１・・・シール材、８２・・・収容空間。
【図１】
2020176440.tif 000003
【図２】
2020176440.tif 000004
【図３】
2020176440.tif 000005
【図４】
2020176440.tif 000006
【図５】
2020176440.tif 000007